(57)【要約】      （修正有）【課題】好適な構図の画像を得ることができる撮影装置およびその撮影装置を備えた撮影システムを提供する。【解決手段】スポットエリア１０２２１に向けて表示情報を送信することができる送信部１０２を撮影制御装置１０に設ける。送信部１０２から送信されてくる表示情報を撮影装置１１の受信装置１１１で受信して撮影装置１１が捉える展示物Ａ１００の画像の上にその表示情報を重畳して表示する。ここでレリーズボタン１１ａが押されたら、展示物とその展示物の表示情報とからなる画像を表わす画像データが記録メディアに記録される。【選択図】図１
2006253774.tif 000002
【特許請求の範囲】
【請求項１】
撮像素子上に被写体を結像して画像データを生成する撮影装置において、
表示情報を無線受信する受信部と、
前記撮像素子で得られた画像データに前記受信部で受信した表示情報を表わす画像データを重畳して、被写体と該表示情報との双方が表示された画像を表わす画像データを生成する画像重畳部とを備えたことを特徴とする撮影装置。
【請求項２】
撮像素子上に被写体を結像して画像データを生成する撮影装置において、
撮影情報を無線受信する受信部と、
前記受信部で得られた撮影情報に応じた撮影を行なって画像データを生成する撮影部とを備えたことを特徴とする撮影装置。
【請求項３】
閃光を発光する閃光発光装置を備え、
前記受信部は、撮影に際して前記閃光発光装置による閃光発光を行なうか否かを表わす撮影情報を受信するものであって、
前記撮影部は、前記受信部で得られた撮影情報に応じて閃光発光のオンオフを切り替えた撮影を行なうものであることを特徴とする請求項２記載の撮影装置。
【請求項４】
無線で撮影指示を受けて被写体を表わす画像データを生成する撮影装置と、
前記撮影装置に無線で撮影指示を与える撮影制御装置とを備えた撮影システムにおいて、
前記撮影装置が、撮影前の動画を無線送信する送信部を備え、
前記撮影制御装置が、前記送信部から送信されてきた動画を受信して表示するモニタ部を備えたことを特徴とする撮影システム。
【請求項５】
背景を表わす画像データを無線送信する送信部を備えた撮影制御装置、および前記撮影制御装置から送信されてきた画像データを受信する受信部と、被写体を表わす画像データを生成する撮影部と、前記受信部で受信した画像データと前記撮影部で得られた画像データとを合成することにより、前記受信部で受信された画像データが表わす背景上に前記撮影部で得られた画像データが表わす被写体が嵌め込まれた画像を表わす画像データを生成する画像合成部とを備えた撮影装置を具備することを特徴とする撮影システム。
【請求項６】
無線で撮影指示を受けて被写体を表わす画像データを生成する撮影装置と、
前記撮影装置を向ける目印となるターゲットマークと、
前記撮影装置に撮影指示を送信する撮影制御装置とを備えたことを特徴とする撮影システム。
【発明の詳細な説明】
【技術分野】
【０００１】
本発明は、撮像素子上に被写体を結像して画像データを生成する撮影装置およびその撮影装置を備えた撮影システムに関する。
【背景技術】
【０００２】
展示会等へ出かけて撮影を行なったり、遊園地等へ遊びに行って撮影を行なったりする機会は多い。展示会では、展示物の撮影を行なったり、展示物の前に自分の子供や恋人等を立たせて撮影を行なったりし、遊園地では、乗り物に乗っている子供達等の撮影を行なったりする。
【０００３】
展示会や遊園地は、混雑していることが多く、このような混雑の中で撮影を行なおうとすると折角好適な構図が確定したとしてもその構図内に余計な人やものが入り込んでしまうことがある。例えば展示物の説明が書かれている看板を背景にしてその展示物を入れた構図を設定しても看板前に他の見学者が入り込んできて説明が撮影されなかったり、展示物を背景に自分の子供を入れた構図を設定してもほかの子供が構図内に入りこんできてしまったりするようなことが良く起こる。また混雑していることを気にしてつい無造作にシャッタを切ってしまって後になって露出状態が悪かったことに気付くこともある。さらに遊園地においては乗り物に乗っている子供の撮影を行なおうとして、シャッタを切ったものの、後になって写真を確認してみたらシャッタを切るタイミングがずれてしまって子供が写っていなかったりすることも良くある。
【０００４】
このような失敗撮影のうちの露出状態の悪さやシャッタタイミングのずれなどについては特許文献１に記載されている技術を用いればある程度回避することができるが、好適な構図を得ることについては特許文献１の技術を用いても改善されない。
【特許文献１】特開平７−１３２２５号公報
【発明の開示】
【発明が解決しようとする課題】
【０００５】
本発明は、上記事情に鑑み、好適な構図の画像を得ることができる撮影装置およびその撮影装置を備えた撮影システムを提供することを目的とする。
【課題を解決するための手段】
【０００６】
上記目的を達成する本発明の第１の撮影装置は、撮像素子上に被写体を結像して画像データを生成する撮影装置において、
表示情報を無線受信する受信部と、
上記撮像素子で得られた画像データに上記受信部で受信した表示情報を表わす画像データを重畳して、被写体と該表示情報との双方が表示された画像を表わす画像データを生成する画像重畳部とを備えたことを特徴とする。
【０００７】
上記本発明の第１の撮影装置によれば、上記画像重畳部により上記受信部で無線受信した表示情報と被写体との双方が表示された画像を表わす画像データが生成され記録媒体に記録される。その記録媒体に記録された画像データが現像されて写真になると、背景の展示物の題名や展示会場名などが被写体と一緒に写真内に写される。
【０００８】
そうすると、展示物と表示情報とが入った好適な構図で撮影される。
【０００９】
また、上記目的を達成する本発明の第２の撮影装置は、
撮像素子上に被写体を結像して画像データを生成する撮影装置において、
撮影情報を無線受信する受信部と、
上記受信部で得られた撮影情報に応じた撮影を行なって画像データを生成する撮影部とを備えた態様であることを特徴とする。
【００１０】
上記第２の撮影装置によれば、上記撮影部によって上記受信部で受信した撮影情報に応じた撮影が行なわれる。
【００１１】
例えば、予め、展示物の撮影を行なうのに適した撮影位置を会場内のフロア上にいくつか指定しておいて、それらの立ち位置でこの第２の撮影装置を構えて撮影を行なうようにすると、自動的に好適な構図になる倍率が指定されたり、その好適な構図になるフレーム内全体が適正露出となるような絞り値等が設定されたりしてから撮影が自動的に行なわれる撮影装置が実現される。
【００１２】
さらに、閃光を発光する閃光発光装置を備え、
上記受信部は、撮影に際して上記閃光発光装置による閃光発光を行なうか否かを表わす撮影情報を受信するものであって、
上記撮影部は、上記受信部で得られた撮影情報に応じて閃光発光のオンオフを切り替えた撮影を行なうものであることが好ましい。
【００１３】
上記のような撮影位置を予め指定すると、展示物が少々影になるようになってしまうような場合もある。
【００１４】
そこで、上記したように、撮影位置に立って展示物の撮影を行なおうとしたときに上記撮影部が上記閃光発光装置の閃光発光をオン状態にして展示物を含めて好適なフレーム内全体を適正露出とするようにしてから撮影を行なうことができるようにしておくとなお良い。
【００１５】
また、上記課題を達成する本発明の第１のカメラシステムは、
無線で撮影指示を受けて被写体を表わす画像データを生成する撮影装置と、
上記撮影装置に無線で撮影指示を与える撮影制御装置とを備えた撮影システムにおいて、
上記撮影装置が、撮影前の動画を無線送信する送信部を備え、
上記撮影制御部が、上記送信部から送信されてきた動画を受信して表示するモニタ部とを備えたことを特徴とする。
【００１６】
上記本発明の第１のカメラシステムによれば、展示物の前に上記撮影装置とモニタ部とがそれぞれ設置されていたとすると、見学者がその撮影装置による撮影を受けようとしてその展示物の前に位置したときに上記撮影制御部が備えるモニタを使って自己撮影における構図を確認することができる。さらに撮影指示が撮影制御装置から撮影装置に与えられる直前に、自分が映し出されているモニタ上に‘もうすぐ撮影されます’の文字が重畳され表示されるようになると撮影のタイミングが見学者に通知されて好適な構図になるような立ち位置に見学者を立たせることができる。
【００１７】
このようにすると、好適な構図での自己撮り撮影が行なえる撮影システムが実現される。
【００１８】
また、上記課題を達成する本発明の第２のカメラシステムは、
背景を表わす画像データを無線送信する送信部を備えた撮影制御装置、および上記送信部から送信されてきた画像データを受信する受信部と、被写体を表わす画像データを生成する撮影部と、上記受信部で受信した画像データと前記撮影部で得られた画像データとを合成することにより、上記受信部で受信された画像データが表わす背景上に上記撮影部で得られた画像データが表わす被写体が嵌め込まれた画像を表わす画像データを生成する画像合成部とを備えたことを特徴とする。
【００１９】
前述したように展示会場内が混雑しているときには例えば展示物を背景に撮影を行なおうとしても人が邪魔して撮影が行なえない場合もある。
【００２０】
上記本発明の第２のカメラシステムによれば、混雑した会場内に設置された撮影装置の前に見学者が位置して見学者が撮影された後、上記撮影制御装置が備える送信部から送信されてきた画像データが受信部で受信され受信された画像データが表わす背景上に上記撮影部で得られた画像データが表わす被写体が嵌め込まれた画像を表わす画像データが上記画像合成部により生成される。
【００２１】
そうすると混雑した会場内で展示物を背景に撮影を行なおうとして行なえない場合であっても、この撮影システムによって見学者が展示物を背景にして撮影を行なったかの如き写真が得られる。
【００２２】
すなわち、好適な構図での画像を得ることができる撮影システムが実現される。
【００２３】
また、上記目的を達成する本発明の第３の撮影システムは、無線で撮影指示を受けて被写体を表わす画像データを生成する撮影装置と、
上記撮影装置を向ける目印となるターゲットマークと、
上記撮影装置に撮影指示を送信する撮影制御装置とを備えたことを特徴とする。
【００２４】
上記第３の撮影システムによれば、上記撮影装置にその撮影装置を向ける目印となるターゲットマークを送信してフレーミングを行ない易くしておいて、好適な構図が確定したであろう時間の経過後に撮影指示を送信することで自動的に撮影を行なうことができる。
【００２５】
そうすると撮影装置を向けるターゲットマークにあわせるようにして撮影装置を構えるだけで短時間のうちに好適な構図を得てその好適な構図で撮影が行なえる撮影システムが実現される。
【発明の効果】
【００２６】
以上、説明したように、好適な構図の画像を得ることができる撮影装置およびその撮影装置を備えた撮影システムが実現される。
【発明を実施するための最良の形態】
【００２７】
以下、本発明の実施の形態について説明する。
【００２８】
図１、図２は、本発明の撮影システムの一実施形態である撮影制御装置１０，１０Ａと撮影装置１１を備えた撮影システムの構成を示す図である。
【００２９】
図１にはこの撮影システム１を説明する図が示されており、図２には撮影システム１を構成する撮影制御装置１０の内部の構成、撮影装置１１の内部の構成がそれぞれ示されている。
【００３０】
図１に示すように、この撮影システム１は展示会場内の各展示エリアごとに設置されている撮影制御装置１０，１０Ａと、それらの撮影制御装置１０，１０Ａが備える送信装置１０２から送信されてくる表示情報を受信する受信装置１１１を備えた撮影装置１１とからなる。
【００３１】
この実施形態ではこの展示会場に見学者が入場しようとしたときに撮影装置１１が展示会場側の人から貸与されるようになっているものとして以降説明する。
【００３２】
この貸与された撮影装置１１内には、図２に示すように受信装置１１１が備えられており、その受信装置１１１によって展示物が展示されているエリアの天井に設置されている撮影制御装置１０から送信されてくる表示情報が受信される。
【００３３】
図１に示すように撮影制御装置１０，１０Ａは、展示物エリアごとの天井にそれぞれ設置されていてこれらの撮影制御装置１０，１０Ａが備える送信装置１０２からは、絶えず陳列されている展示物に関する表示情報が送信し続けられている。この例では図２に示す送信装置１０２の送信部１０２２であるアンテナや投光器に指向性が狭いものを用いることにより、図１に示すように見学者側が所定のエリア（以降スポットエリアという）１０２２１，１０２２１Ａ内に立って撮影装置１１を構えない限り上記表示情報を受信することができない構成にしてある。なおこのスポットエリア１０２２１，１０２２１Ａは、それらのエリアに立って撮影装置１１を構えて展示物の方を見て撮影を行なうと好適な構図が得られる位置に設定されている。
【００３４】
図２は、撮影制御装置１０の内部構成と撮影装置１１の内部構成を示すブロック図である。
【００３５】
図２に示すように撮影制御装置１０の動作は送信機ＣＰＵ１００により統括的に制御され、撮影装置１１の動作は撮影装置ＣＰＵ１１０により統括的に制御されている。
【００３６】
撮影制御装置１０の方は、前述したようにスポット的に表示情報を送信し続けるものであり、そのスポットエリア１０２２１，１０２２１Ａ内に見学者が立って貸与された撮影装置１１を構えたときに撮影装置１１の受信部１１１でその表示情報が受信されて撮影装置１１が備えるモニタ１１２２上に被写体である展示物Ａに重ねてその表示情報が表示されるようになっている。
【００３７】
図２を参照してまず、撮影制御装置１０の構成および動作を説明する。
【００３８】
撮影制御装置１０の動作は上記したように送信機ＣＰＵ１００によって統括的に制御されており、この例では上記したようにスポットエリア１０２２１内に表示情報が繰り返し送信されるように、不揮発性の記憶部１０１に記憶しておいた文字情報が送信機ＣＰＵ１００内のレジスタに読みこまれてそのレジスタに読みこまれた文字情報が繰り返し後段の送信部１０２へ供給されるようになっている。その送信部１０２内の送信回路１０２１で文字情報を示す信号により搬送波が変調されて変調波が例えばアンテナ、投光器などで構成される送信部１０２２からスポットエリア１０２２１，１０２２１Ａに向けて繰り返し無線送信されるようになっている。
【００３９】
このため、展示物Ａを見に来た見学者がそのスポットエリア１０２２１内に入って受付で貸与された撮影装置１１を構えたときに撮影装置１１が備えるモニタ１１２２上に無線送信されてきた表示情報（例えば展示物の作者であるとか題名であるとか）が表示されることになる。
【００４０】
次に撮影装置１１の構成および動作を説明する。
【００４１】
まず、上記撮影制御装置１０から表示情報が繰り返し無線送信されているスポットエリア１０２２１内に見学者が入って撮影装置１１を構えて撮影を行なおうとしているときに表示情報が受信部１１１例えばアンテナを経由して受信回路１１２にまで供給される。この受信回路１１２で変調波が復調され復調された表示情報を示す信号が撮影装置ＣＰＵ１１０のレジスタ内に入力される。さらに撮影装置ＣＰＵ１１０の制御の基、レジスタ内の表示情報が表示部１１２に供給されて表示部１１２が備えるモニタ１１２２上に表示情報が表示される。表示部１１２には既に撮影装置ＣＰＵ１１０の制御の基、撮像素子１１３が捉えている被写体ここでは展示物Ａ１００を表わす画像データがＡ／Ｄ部１１４、信号処理部１１５を経由して供給されてきていて展示物Ａ１００を表わす画像データに基づく画像がモニタ１１２２上に表示されている。そこで、表示部１１２の駆動制御部１１２１が双方の画像データを重畳する処理を行なって被写体を表わす画像と表示情報とを重ねて表示するようにしている。上記撮影装置ＣＰＵ１１０と上記表示部１１２とが本発明にいう画像重畳部にあたる。さらにこの状態にあるときにレリーズボタン１１ａが操作されたら、記録メディア１１６に図３に示すモニタ上に表示されている画像を表わす画像データが記録される。
【００４２】
図３は、上記撮影装置ＣＰＵ１１０と表示部１１２とで構成される画像重畳部によって表示情報が重畳された画像を説明する図である。
【００４３】
図３の一番右側の図に示すように展示物Ａを表わす画像上に題名（花）と作者（山田太郎）とからなる表示情報が重畳されている。なお、図３には、各展示エリアに設けられている撮影制御装置１０から表示情報が送信されていることを示すため、展示物Ａが展示されている展示エリアからは、展示物Ａの題名（花）と作者（山田太郎）という文字情報が送信され、展示物Ｂが展示されている展示エリアからは、展示物Ｂの題名（コスモス）と作者（フジコ）という文字情報が送信されてきていることが示されている。
【００４４】
図１に示す例にように見学者が展示物Ａのスポットエリア１０２２１内で撮影装置１１を構えて撮影を行なおうとしているときには、モニタ１１２２上に図３に示す展示物Ａの画像と表示情報とが重ねて表示される。もしも見学者が展示物Ｂのスポットエリア内で撮影装置を構えて撮影を行なおうとしたら、図３に示す展示物Ｂの文字情報（題名：コスモス、作者：フジコ）が図２に示す展示物Ｂの画像とともに表示される。
【００４５】
このようにしておくと、いままでのように説明用の看板を入れようとするような構図を考えなくても展示物を中央に配置するという単純なフレーミングで好適な構図を得て撮影を行なうことができる。
【００４６】
図４は、第２の実施形態である撮影システム２を説明する図である。
【００４７】
図４（ａ）には、文字情報の代わりに撮影情報を記憶部２０１に記憶するようにして図４（ｂ）に示す撮影情報をスポットエリア内に送信し続けるように変更した場合の例が示されている。
【００４８】
図４（ｂ）に示す撮影情報（絞り値、シャッタ速度、ＩＳＯ感度、フラッシュ、光源種等）を撮影装置２０に送信すると、例えば図１に示した展示物Ａを撮影するのに最も適した撮影条件が撮影装置２１に自動的に設定された後、レリーズ操作するだけで簡単に撮影が行なえるようになる。
【００４９】
例えば図４（ｂ）に示す撮影情報が送信されてくると、撮影装置ＣＰＵ２１０は、それらの情報を図４（ａ）に示す受信部２１１で受信して、まず絞り２１３を図４（ａ）に示す駆動部２１２で駆動して絞り値Ｆ２．８に応じた絞りの径を設定し、さらに信号処理部２１６に感度（２００）情報や外部の照明に用いられている照明の種類（ここではタングステン）に応じたパラメータをセットした後、絞り値に応じた１／６０のシャッタ速度になるようにタイミングジェネレータ（図４にはＴＧと記載してある）２１０Ａで撮像素子２１４を駆動して自動的に撮影を行なうことになる。上記撮影装置ＣＰＵ２１０と絞り２１３と不図示の撮影光学系と信号処理部２１６とが本発明にいう撮影部にあたる。
【００５０】
このようにすると、会場内が混雑していても、簡単に撮影が行なえるので露出設定の失敗などがなくなる。また、図１に示すスポットエリア内から展示物を撮影しようとするときにはおおよその構図が予め想定されるのでその構図に必要な撮影条件を設定するようにすると好適な構図であってしかも鮮明な撮影が行なえる撮影装置が実現される。さらに撮影情報の中にスポットエリア内で展示物を撮影するときの適正ズーム倍率など送信するようにしておくと、より好適な構図での撮影が行なえるようにもなる。
【００５１】
図５、図６は、図４に示す例の変形例であり、照明用の閃光発光装置２１８Ａ，２１８Ｂを追加した場合の例を示す図である。図６の構成図は、閃光発行装置が２つ設けられている以外、図４と同様である。
【００５２】
図５に示す撮影情報ではフラッシュの設定をｏｆｆとしていたが、展示物を展示している会場の照明はあまりいい照明環境を持っていない場合もある。そこで、図７に示すように閃光発光装置２１８Ａ，２１８Ｂを使って照明効果を得てより鮮明な撮影を行なえるように変形している。
【００５３】
ここでは、撮影条件として図６（ｂ）に示すようにフラッシュオンを指定しておくと、閃光発光装置２１８Ａ、２１８Ｂそれぞれから閃光が発光され好適な構図のフレーム全体に適正露出が得られるようになる。
く、さらに鮮明な撮影が行なえる撮影システムが実現される。
【００５４】
図７、図８は、第３の実施形態である撮影システムを説明する図である。
【００５５】
図７には撮影装置３１を所定の位置にセットすると、好適な構図で自己撮り撮影が行なえる撮影システムが示されている。
【００５６】
図７、図８には、いままで一方向的であったスポット通信を双方向に行なえるように変形している。
【００５７】
図８に示す撮影装置３１は、撮影光学系で捉えた画像データを送受信部３１１１を介して撮影制御部３０側へ送信している。この撮影装置３１から送信されてくる画像データを送信機ＣＰＵ３００の制御の基、送受信部３０２２、受信回路３０２３を介して受信して受信した画像データをモニタへ転送するようにしてモニタ３００上に画像データに基づく画像を表示させようにしている。この状態にあるときにさらに撮影情報として‘もうすぐ撮影されます’といったようなレリーズタイミングを知らせる情報をモニタ上に表示させ、さらに撮影装置側にその情報を送信して撮影装置ＣＰＵ３１０の制御の基、ＴＧ３１２１から撮像素子３１３１へレリーズ信号を供給させるようにもしている。
【００５８】
このようにすると、図８に示すモニタ３０Ａ上に表示されている自分の立ち姿を見て、‘もうすぐ撮影されます’が表示されたら、展示物を背景にした好適な構図で自己撮り撮影が行なわれるようになる。
【００５９】
図９、図１０、図１１は、第４の実施形態を説明する図である。
【００６０】
図９、図１０、図１１には、混雑している会場内で余計な人が入ってきてしまうようなことがあってもその余計な人や物が排除されてベストフレーミング撮影が行なえる撮影システムが示されている。
【００６１】
図９に示すように撮影したい人物と撮影したくない人物がいるときに撮影したい人物を所定の位置に立たせて撮影を行なうようにしている。図９に示す撮影制御装置４０からは撮影装置４１に向けて、背景を表わす画像データが送信されてきているので、撮影装置４１は、その背景を表わす画像データの中に、撮影したい人物を表わす画像データを嵌め込む処理を行なって、撮影したくない人物がフレーム内に入り込まないようにしている。
【００６２】
図１０を参照して構成を説明する。
【００６３】
図１０に示す撮影制御装置４０には、撮影情報のほか、背景を表わす画像データが記憶されている記憶部４０１Ａが追加されている。この記憶部４０１Ａにある画像データが送信部４０２により撮影装置４１に向けて無線送信されて撮影装置４１の受信部４１１により受信される。撮影装置４１側では撮影光学系と撮像素子とタイミングジェネレータとからなる撮影部４１０により被写体を表わす画像データが生成されているので、その画像データと上記受信部４１１で受信した画像データとが信号処理部４１５で合成され図１１に示すように上記受信部４１１で受信された画像データが表わす背景上に上記撮影部４１４で得られた画像データが表わす被写体が嵌め込まれた画像を表わす画像データが生成される。
【００６４】
そうすると混雑した会場内で展示物を背景に撮影を行なおうとして行なえない場合であっても、この撮影システムによって見学者が展示物を背景にして撮影を行なったかの如き写真が得られる。
【００６５】
図１２、図１３は、第５の実施形態を説明する図である。
【００６６】
図１２にはジェットコースタ６０に乗っている子供を撮影しようとしているときに、撮影装置５１に対して撮影装置５１を向ける目印となるターゲットマーク５１０を撮影制御装置５０の送信部５０２（図１３参照）側から送信するようにして撮影装置５１を構えた人に好適な構図での撮影が行なえるようにした場合の撮影システムが示されている。
【００６７】
このようにしておくと、撮影装置５１を向ける目印となるターゲットマーク５１０を撮影情報として送信してフレーミングを行ない易くしておいて、好適な構図を得るであろう時間の経過後に再び撮影制御装置５０側からレリーズ指示を送信することにより好適な構図での自動撮影が行なえる撮影システムが実現される。
【００６８】
以上、説明したように、好適な構図の画像を得ることができる撮影装置およびその撮影装置を備えた撮影システムが実現される。
【図面の簡単な説明】
【００６９】
【図１】本発明の撮影システムの一実施形態である撮影制御装置１０，１０Ａと撮影装置１１を備えた撮影システムの構成を示す図である。
【図２】図１に示す撮影システム１を構成する撮影制御装置１０の内部の構成、撮影装置１１の内部の構成を示す図である。
【図３】表示情報が駆動制御部１１２１により重畳されたモニタ上の画像を説明する図である。
【図４】第２の実施形態である撮影システム２を説明する図である。
【図５】図４に示す例の変形例であって、照明用の閃光発光装置２１９Ａ，２１９Ｂを配備した場合の例を示す図である。
【図６】図５に示す撮影制御装置および撮影装置の内部構成を示す図である。
【図７】第３の実施形態である撮影システムを説明する図である。
【図８】第３の実施形態である撮影システムを説明する図である。
【図９】第４の実施形態である撮影システムを説明する図である。
【図１０】第４の実施形態である撮影システムを構成する撮影制御装置の内部構成および撮影装置の内部構成を説明する図である。
【図１１】合成の仕方を説明する図である。
【図１２】第５の実施形態である撮影システムを説明する図である。
【図１３】図１２に示す第５の実施形態である撮影システムを構成する撮影制御装置の内部構成および撮影装置の内部構成を説明する図である。
【符号の説明】
【００７０】
１  ２  ３  ４  ５  撮影システム
１０    ２０    ３０    ４０    ５０      撮影制御装置
１００  ２００  ３００  ４００  ５００    送信機ＣＰＵ
１０１  ２０１  ３０１  ３０１  ４０１Ａ
４０１Ｂ  ５０１Ａ  ５０１Ｂ              不揮発性メモリ
１０２  ２０２  ３０２  ４０２  ５０２    送信部
１１    ２１    ３１    ４１    ５１    撮影装置
１１１  ２１１  ３１１  ４１１  ５１１    受信部
１１０  ２１０    ３１０    ４１０    ５１０    撮影装置ＣＰＵ
【図１】
2006253774.tif 000003
【図２】
2006253774.tif 000004
【図３】
2006253774.tif 000005
【図４】
2006253774.tif 000006
【図５】
2006253774.tif 000007
【図６】
2006253774.tif 000008
【図７】
2006253774.tif 000009
【図８】
2006253774.tif 000010
【図９】
2006253774.tif 000011
【図１０】
2006253774.tif 000012
【図１１】
2006253774.tif 000013
【図１２】
2006253774.tif 000014
【図１３】
2006253774.tif 000015